(57)【要約】【課題】  従来のショッピングカートで、買い物の行き帰りだけでなく買い物中でも利用可能なものがある。しかしフレーム手段の両側を使い分ける構造のものでは、荷物がフレーム手段のどちら側で収納され支持されるかによって重心の位置が変化するために、不安定な状態になる事があって、その為にショッピングカートが転倒し易くなるという問題があった。【解決手段】  取っ手部１ａと２個の車輪２，２ａを設けたフレーム手段１の一方の側に荷物を支持する第１支持手段３を設け、フレーム手段１の他方の側に荷物を支持する第２支持手段６を設けたショッピングカート４であって、第１支持手段３の下部近傍に第１スタンド手段７を設け、第２支持手段６の下部近傍に第２スタンド手段１３を設け、第２スタンド手段１３の移動に連動する連動手段８を設けて第１スタンド手段７を移動させる構成を採用した。そして、第１スタンド手段の着地若しくは第２スタンド手段の着地を選択する構成でショッピングカートの転倒を防止し、課題を解決した。【選択図】図１
2007153291.tif 000002
【特許請求の範囲】
【請求項１】
フレーム手段の上端近傍に取っ手部を有し該フレーム手段の下端近傍に２個の車輪を設け該フレーム手段の一方の側に荷物を支持する第１支持手段を設けたショッピングカートにおいて、
前記フレーム手段の他方の側に設け荷物を支持する第２支持手段と、前記第１支持手段の下部近傍で前記フレーム手段を支えるために設けた第１スタンド手段と、前記第２支持手段の下部近傍で前記フレーム手段を支えるために設けた第２スタンド手段と、前記第２スタンド手段の移動で前記第１スタンド手段を連動して移動させる連動手段とを有することを特徴とするショッピングカート。
【請求項２】
前記第１スタンド手段の着地若しくは非着地を前記連動手段の移動により行なうことを特徴とする特許請求の範囲第１項記載のショッピングカート。
【請求項３】
前記第１スタンド手段は前記第２スタンド手段が着地の状態にある場合に非着地の状態とし、前記第１スタンド手段は前記第２スタンド手段が非着地の状態にある場合に着地の状態としたことを特徴とする特許請求の範囲第１項記載のショッピングカート。
【発明の詳細な説明】
【技術分野】
【０００１】  本発明は、買い物の荷物を運ぶショッピングカートに関し、特に買い物の行き帰りと買い物中の何れでも安定良く着地するスタンド手段を備えたショッピングカートに関する。
【背景技術】
【０００２】  近所のスーパーマーケット等で大量の品物や飲料水等の重量物を買い、それを自宅に持ち帰る場合にはショッピングカートを使うと荷物が楽に運搬できて便利である。【０００３】  以下、従来のショッピングカートの側面図を図５〜図８にそれぞれ示し、従来例の説明を行なう。図５、図６において、符号２８は第１従来例のショッピングカート、図７、図８において、符号２８ａは第２従来例のショッピングカートである。同一の部材には同一の符号を付している。【０００４】  図中において、符号２９，２９ａはフレーム、符号３０，３０ａは取っ手部、符号３１，３１ａは握り部材、符号３２，３２ａは車輪、符号３３，３３ａはブラケット部材、符号３４，３４ａはスタンド、符号３５，３５ａは収納袋、符号３６，３６ａは固定ベルト、符号３７，３７ａは固定ベルト、符号３８，３８ａは蓋部、符号３９は二点鎖線、符号４０は矢印、符号４１，４１ａは支持部材、符号４２はカゴをそれぞれ表わしている。車輪３２，３２ａは通常不透明であってその向こう側は見えないが、部材の構造を分かり易く説明する為に、向こう側の部材も実線で示している。【０００５】  図５は第１従来例のショッピングカートを図の右方向（矢印４０）に走行させる場合の側面図である。２輪のショッピングカート２８は走行時には取っ手部３０が車輪３２よりも進行方向へ先行する為、フレーム２９が傾斜する事になる。この場合、スタンド３４の下端は非着地（非接地）で宙に浮いている。停止時はフレーム２９が二点鎖線３９の位置に戻り、スタンド３４の下端が地面２５に着地（接地）して収納袋３５の重量を支える。【０００６】  図６は第１従来例のショッピングカートを図の左方向に走行させる場合の側面図である。図６において、スタンド３４の下端が地中に埋まることは無いから、第１従来例のショッピングカート２８では図６に示した使い方は出来ない。【０００７】  図７、図８は本出願人の過去の出願に係るショッピングカートであって、特開２００５−１６２１８０（特許第３６２７７５１号）に開示した技術を簡略化して示した図である。図７は第２従来例のショッピングカート２８ａが停止した状態を示す側面図である。【０００８】  図７で特徴的な構成は、フレーム２９ａの他方の側（図の右側）に支持部材４１を設けてカゴ４２を載置すること、ブラケット部材３３ａの右側にスタンド３４ａがあり、ブラケット部材３３ａの左側には支持部材４１ａが存在することである。このため第２従来例のショッピングカート２８ａは、車輪３２ａとスタンド３４ａの下端が着地（接地）する事により、地面２５上に安定に直立している。【０００９】  図８は第２従来例のショッピングカートを図の左方向に走行させる場合の側面図である。買い物をする時は、このショッピングカート２８ａを図８に示す状態で図の左方向に引き、フレーム２９ａを傾けて牽引すると、車輪３２ａが従動回転しながら移動して買い物をする事ができる。【００１０】  ここで、買い物前若しくは買い物後を示す図５の状態と、買い物中を示す図８の状態は１台のショッピングカートとしては両立しない。つまり図５に示すスタンド３４と図８に示すスタンド３４ａが同時かつ固定的に存在すると、ショッピングカートは常に図７に示すような直立状態となる。そのため図５若しくは図８に示す傾斜した状態で牽引しながら移動することが出来ない欠点があった。
【特許文献１】特開２００５−１６２１８０号公報（第１−２頁）
【特許文献２】特開２００３−８１０９４号公報（第１−２頁）
【特許文献３】特開２００１−６３５８３号公報（第１−２頁）
【００１１】  特許文献１は前述の図７、図８に示したような２輪のショッピングカートであり、買い物中の使用が可能である。しかしスタンドが固定的であるため、安定性が良くない。【００１２】  特許文献２は前述の図５、図６に示したような２輪のショッピングカートであり、折り畳み構造に特徴がある。しかし店舗内での買い物中の使用は考慮しておらず、スタンドの構成が異なる。【００１３】  特許文献３は前述の図５、図６に示したような２輪のショッピングカートであり、収納袋の構造に特徴がある。これも店舗内での買い物中の使用は考慮しておらず、スタンドの構成が異なる。
【発明の開示】
【発明が解決しようとする課題】
【００１４】  以上で述べたように、図５と図６で示した第１従来例のショッピングカート２８と、図７と図８で示した第２従来例のショッピングカート２８ａには、以下に示す課題がある。
つまり、
（ａ）フレームの片側に荷物の収納袋があるショッピングカート（第１従来例）では、１つのスタンドで安定良く荷物を支持することが出来るが、買い物中は使用が出来ない。
（ｂ）フレームの両側で荷物の収納と支持が出来るショッピングカート（第２従来例）では、精算が終了して買った品物をカゴから収納袋へ移す場合に、ショッピングカートの重心がフレームの他方の側から一方の側に移動するので、その時にショッピングカートが不安定になってフレームが一方の側へ倒れ易くなる。等の課題を有していた。【００１５】  本発明は、従来のショッピングカートが有する上述の課題を解決しようとするものであり、買い物の行き帰りだけでなく買い物中においても使用する事ができ、しかも安定性が向上して転倒する心配がないショッピングカートの提供を目的とするものである。
【課題を解決するための手段】
【００１６】  そして、本発明は上記の目的を達成するために下記の手段を採用したものである。まず、請求項１においては次の通りである。
フレーム手段の上端近傍に取っ手部を有し該フレーム手段の下端近傍に２個の車輪を設け該フレーム手段の一方の側に荷物を支持する第１支持手段を設けたショッピングカートにおいて、
前記フレーム手段の他方の側に設け荷物を支持する第２支持手段と、前記第１支持手段の下部近傍で前記フレーム手段を支えるために設けた第１スタンド手段と、前記第２支持手段の下部近傍で前記フレーム手段を支えるために設けた第２スタンド手段と、前記第２スタンド手段の移動で前記第１スタンド手段を連動して移動させる連動手段とを有することを特徴とするショッピングカート。【００１７】  次に、請求項２においては次の通りである。
前記第１スタンド手段の着地若しくは非着地を前記連動手段の移動により行なうことを特徴とする特許請求の範囲第１項記載のショッピングカート。【００１８】  次に、請求項３においては次の通りである。
前記第１スタンド手段は前記第２スタンド手段が着地の状態にある場合に非着地の状態とし、前記第１スタンド手段は前記第２スタンド手段が非着地の状態にある場合に着地の状態としたことを特徴とする特許請求の範囲第１項記載のショッピングカート。【００１９】  次に、前述した請求項１〜３について図１〜図４で示した実施形態に基づき詳細に説明する。なお図１〜図４において同一の部材に対しては同一の符号を付してある。【００２０】  まず、本発明のショッピングカートに係わる図面について説明を行なう。
図１は本発明の実施形態を示す買い物中のショッピングカートを示す側面図であり、
図２は同ショッピングカートで買い物前若しくは買い物後の状態を示す側面図であり、
図３は同ショッピングカートで買い物中の第２支持手段の構成を示す平面図であり、
図４は同ショッピングカートの第１、第２スタンド手段の構成を示す平面図である。【００２１】  まず、請求項１記載のショッピングカートについて説明を行なう。
図１〜図４において、符号１はフレーム手段、符号１ａは取っ手部、符号１ｂは握り部材、符号２，２ａ（図３、図４）は車輪、符号３は第１支持手段、符号３ａは収納袋、符号３ｂ，３ｃは固定ベルト、符号３ｄは蓋部、符号４は本発明に係るショッピングカートである。車輪２は通常不透明であってその向こう側は見えないが、部材の構造を分かり易く説明する為に、向こう側の部材も実線で示している。【００２２】  符号５は買い物をするために店舗内で提供されるカゴであり、符号５ａはカゴ５の底面、符号５ｂは孔部、符号６は第２支持手段、符号７は第１スタンド手段、符号７ａは軸部、符号８は連動手段、符号８ａは軸部、符号９，９ａ（図３）は突起部材、符号１０，１０ａ（図３）は可変支持部材、符号１１はブラケット部材、符号１２は軸部、符号１３は第２スタンド手段、符号１３ａはスタンド緩衝材、符号１４はスタンドフレーム、符号１５はスタンドリンク部材、符号１６はブロック部材、符号１７，１８は軸部、符号１９，１９ａ（図３）は支持リンク部材、符号２０，２１，２２，２３は軸部、符号２４は係止バー、符号２４ａは係止バー軸部、符号２５は地面、符号２６，２６ａ（図２）は二点鎖線、符号２７は車軸をそれぞれ表わしている。【００２３】  図１において、フレーム手段１は通常はパイプや丸棒の鉄材、若しくはアルミ材、若しくはプラスチック材を逆Ｕ字形状（Ｕ字形の上下を逆にした形）に曲げて用いる。このフレーム手段１で図の上端近傍に取っ手部１ａを有し、その取っ手部１ａには必要に応じ握り部材１ｂを設ける事により握り易くする。車輪２はフレーム手段１の下端近傍で図３、図４に示す２個の車輪２，２ａを車軸２７に対して回転自在に設ける。【００２４】  第１支持手段３は図１に示すフレーム手段１の一方の側、つまりフレーム手段１よりも図の左側に設ける。その上部に収納袋３ａを載せてその重量を支持することができる。この収容袋３ａの材料は一般的には布製のものが広く用いられており、本発明でも布を用いて差し支えない。しかし、必要に応じて透明若しくは半透明（例えばプラスチック袋や網状）のものを採用することができる。【００２５】  第２支持手段６はフレーム手段１の他方の側、つまりフレーム手段１よりも図の右側に設け、図の上部に二点鎖線で示す位置でカゴ５の支持を可能とする。そして図１に示す第２支持手段６の状態をカゴ５の支持位置とする。これに対して図２に示す第２支持手段６の状態をカゴ５の不支持位置とする。このように第２支持手段６はフレーム手段１に設けられた軸部２３を中心として揺動自在に軸支されている。【００２６】  第１スタンド手段７は、フレーム手段１の一方の側（図１でフレーム手段１より左側）にある第１支持手段３の下部近傍に設ける。図１では第１スタンド手段７の下端は地面２５に非着地（非接地）状態である。一方、図２では第１スタンド手段７の下端が地面２５に着地（接地）状態である。【００２７】  第２スタンド手段１３は、フレーム手段１の他方の側（図１でフレーム手段１より右側）にある第２支持手段６の下部近傍に設ける。図１では第２スタンド手段１３の下端は地面２５に着地（接地）状態である。一方、図２では第２スタンド手段７の下端が地面２５に非着地（非接地）状態である。【００２８】  連動手段８は、その両端がスタンドリンク部材１５と第１スタンド手段７の間で揺動自在に軸支されている。スタンドフレーム１４を図１の上方向に引き上げると第２スタンド手段１３、スタンドリンク部材１５、連動部材８、第１スタンド手段７が連動して移動する。そして、第１スタンド手段７は時計回りに回転する事によって、図２に示す位置つまり着地の状態になる。【００２９】  逆に、図２の状態でスタンドフレーム１４を図２の下方向に引き下げると第２スタンド手段１３、スタンドリンク部材１５、連動部材８、第１スタンド手段７が連動して移動することにより、第１スタンド手段７は反時計回りに回転する事によって、図１に示す位置つまり非着地の状態になる。以上は請求項１〜３に記載した手段についての説明である。【００３０】  次に、請求項２においては次の通りである。
第１スタンド手段７の着地（即ち図２の状態）、若しくは非着地（即ち図１の状態）、を前記連動手段８の移動により行なうことを意味する。【００３１】  次に、請求項３においては次の通りである。
第１スタンド手段７は、第２スタンド手段１３が着地の状態にある場合（即ち図１の状態）に非着地の状態になり、第１スタンド手段７は、前記第２スタンド手段１３が非着地の状態にある場合（即ち図２の状態）に着地の状態になることを意味する。【００３２】  図１において、凸状の突起部材９はカゴ５の底面５ａにある孔部５ｂを貫通している。これにより、カゴ５が第２支持手段６から滑り落ちることを防止している。【００３３】  図３において、実線の符号１０，１０ａは可変支持部材である。可変支持部材１０，１０ａはそれぞれの中央部を図面の手前方向に引き上げて約９０度回転させ（紙面に対して垂直となる）、更に約９０度回転を続けて二点鎖線の符号１０，１０ａまで半回転できる構成である。このようにして、載置すべき不図示のカゴ５（図１参照）が支持される面積を増加させることができる。
【発明の効果】
【００３４】  前述の図１〜図４に示した本発明のショッピングカートを使用すると、前記の課題に対して以下の効果を生ずる。つまり、
（Ａ）買い物に行く前は、図２に示す状態で第２支持手段と第２スタンド手段とを小さく折り畳んでショッピングカートを引きながら移動することが出来る。
（Ｂ）買い物中は図１に示す状態のように第２支持手段と第２スタンド手段とを展開し、店内に備えられたカゴを第２支持手段に載置して、ショッピングカートを引きながら、買い物をする事が出来る。
（Ｃ）精算が終了して買った品物をカゴから収納袋に移す場合に第２支持手段を折り畳み、第１，第２スタンド手段を図２の状態に戻す事で、ショッピングカートの安定性が良くなる。つまり、ショッピングカートの重心がフレーム手段の他方の側から一方の側に移動した場合でも、ショッピングカートが不安定になったり、転倒する事がなくなる。更に、有料のレジ袋を買う必要がないから経済的、かつ省資源である。
【発明を実施するための最良の形態】
【００３５】  以下、本発明の実施の形態を図１〜図４に基づいて説明する
図１は本発明の実施形態を示す買い物中のショッピングカートを示す側面図であり、二点鎖線で示すカゴ５の位置でカゴが第２支持手段６の上に載置された状態になっている。フレーム手段１の一方の側、つまり図１の左側には、布、紐、樹脂、金属などを用いた袋で作った収納袋３ａを設ける。収納袋３ａの背面には固定ベルト３ｂ、３ｃが付設されていて、固定ベルト３ｂ、３ｃをフレーム手段１に巻き付ける事で収納袋３ａを固定し、最上部には開閉自在な蓋部３ｄがある。【００３６】収納袋３ａは透明若しくは半透明な袋で構成される。透明な袋としては一般にビニールやポリエチレン等の樹脂（プラスチック）を用いる。半透明な袋としては例えば淡い色彩が付いているもの、薄い無彩色のもの、メッシュ構造、或いはネット構造であって網目の形態を呈するものを含む。【００３７】  次に、フレーム手段１の他方の側、つまり図の右側には、その上部にカゴ５を載置して支持することが可能な第２支持手段６を設ける。第２支持手段６は図１に示すようにカゴ５の支持が可能な支持位置（略水平な状態）と、図２に示すようにカゴ５の支持が不可能な不支持位置（略垂直な状態）とに設定することができる。【００３８】  フレーム手段１の他方の側（図の右側）で、第２支持手段６の下部には、互いに異なる位置、つまり図１に示した状態と図２に示した状態とに移動が可能な第２スタンド手段１３を設けた。【００３９】  フレーム手段１の下部にはブラケット部材１１を固定する。このブラケット部材１１は一方の側（図１の左側）で略Ｕ字形状のパイプ材若しくは棒材を用いた第１支持手段３を固定している。そして、第１支持手段３の上部では収納袋３ａの底面を支持する。【００４０】  更に、このブラケット部材１１は他方の側（図１の右側）で略Ｕ字形状のパイプ材若しくは棒材を用いたスタンドフレーム１４を軸部１２で揺動自在に軸支しており、図４で示すように軸部１２の向かい側も軸部１２ａで同様に軸支する両持ち機構である。【００４１】  スタンドリンク部材１５は、図１の右端部近傍がブロック１６を介して軸部１８で第２スタンド手段１３と揺動自在に軸支されている。スタンドリンク部材１５は、図の左端部近傍が車軸２７で回動自在に軸支されている。この状態は図１（側面図）及び図４（平面図）を見ると理解し易く、車軸２７とスタンドリンク部材１５ａと軸部ブロック１６ａとの位置関係も理解することが出来る。【００４２】  従って、スタンドフレーム１４を軸部１２を中心として図１で反時計回りに回動させることで、スタンドフレーム１４と、第２スタンド手段１３と、スタンドリンク部材１５が図２で示した位置に移動して、折り畳まれた状態になる。【００４３】  図１に示す第２支持手段６で、図の左端部近傍がフレーム手段１に軸部２３で揺動自在に軸支されており、第２支持手段６は平面図で示すと図３に示す形状となる。【００４４】  図１で支持リンク部材１９は、図の左端部がフレーム手段１に軸部２０で揺動自在に軸支されており、支持リンク部材１９の平面図は図３に表わしている。支持リンク部材１９，１９ａの右端部近傍では軸部２２が揺動自在に貫通しており、軸部２１，２１ａを中心として、一体の部材が第２支持手段６の右端部近��を図１の下側から支えている。従って第２支持手段６の上に載置されるカゴ５は、図１で示す位置（支持位置）で安定良く支持される。【００４５】  図３で、第２支持手段６には図面の手前に向けて凸状の突起部材９が設けられている。突起部材９は図１で示すようにカゴ５の底面５ａにある孔部５ｂを貫通しているので、第２支持手段６が図１で多少傾斜した場合でも、カゴ５が第２支持手段６から滑り落ちることはない。【００４６】  図１でカゴ５を図面から除去した後に、第２支持手段６を軸部２３を中心として反時計回りに回動させることで、第２支持手段６と支持リンク部材１９が図２に示した位置に移動して、折り畳まれる。【００４７】  図１で、係止バー２４は、係止バー軸部２４ａを回転中心として揺動可能に軸支されいる。従って、図２で示す位置（不支持位置）で第２支持手段６を係止することができる。【００４８】  図１ではショッピングカート４が停止状態であるが、ショッピングカート４を図１の左方向に牽引して移動させる場合には握り部材１ｂを握って二点鎖線２６のように傾斜させながら移動する。この移動状態では、カゴ５がフレーム手段１と第２支持手段６で形成される略Ｖ字形状内に収まる形になるから、カゴ５の中に重量が重い商品を入れたとしても、落下することなく安定良く支持することが出来る。【００４９】  図１、図２、図４において、車軸２７の両端はフレーム手段１の下端部近傍をそれぞれ貫通しており、車軸２７の両端では車輪２、２ａを回転自在に軸支している。また、車軸２７と第２スタンド手段１３の間では、スタンドリンク部材１５，１５ａが揺動自在に軸支されている。【００５０】  図２ではショッピングカート４が停止状態であるが、ショッピングカート４を図２の右方向に牽引して移動させる場合には握り部材１ｂを握って二点鎖線２６ａのように傾斜させながら移動する。この場合第２スタンド手段１３は、地面２５より上方の図示した位置に折り畳まれているので、図の右方向へ移動することが可能となっている。【００５１】  一方、第２支持手段６の上端部近傍は係止バー２４で係止されているから、フレーム手段１が傾斜しても、第２スタンド手段１３が図２の状態で保持される。この移動状態では収納袋３ａがフレーム手段１と第１支持手段７で形成される略Ｖ字形状内に収まる形になるから、収納袋３ａの中に重量が重い品物を入れたとしても安定良く支持することが出来る。
【図面の簡単な説明】
【００５２】
【図１】本発明の実施形態を示す買い物中のショッピングカートを示す側面図。
【図２】同ショッピングカートで買い物前若しくは買い物後の状態を示す側面図。
【図３】同ショッピングカートで買い物中の第２支持手段の構成を示す平面図。
【図４】同ショッピングカートの第１、第２スタンド手段の構成を示す平面図。
【図５】第１従来例のショッピングカートを図の右方向に走行させる場合の側面図。
【図６】第１従来例のショッピングカートを図の左方向に走行させる場合の側面図。
【図７】第２従来例のショッピングカートが停止した状態を示す側面図。
【図８】第２従来例のショッピングカートを図の左方向に走行させる場合の側面図。
【符号の説明】
【００５３】１：フレーム手段
１ａ：取っ手部
２：車輪
２ａ：車輪
３：第１支持手段
４：ショッピングカート
６：第２支持手段
７：第１スタンド手段
８：連動手段
１３：第２スタンド手段
【図１】
2007153291.tif 000003
【図２】
2007153291.tif 000004
【図３】
2007153291.tif 000005
【図４】
2007153291.tif 000006
【図５】
2007153291.tif 000007
【図６】
2007153291.tif 000008
【図７】
2007153291.tif 000009
【図８】
2007153291.tif 000010
【手続補正書】
【提出日】平成18年4月6日(2006.4.6)
【手続補正１】
【補正対象書類名】特許請求の範囲
【補正対象項目名】請求項１
【補正方法】変更
【補正の内容】
【請求項１】
フレーム手段１の上端近傍に取っ手部１ａを有し該フレーム手段の下端近傍に２個の車輪２、２ａを設け該フレーム手段の一方の側で荷物を支持する第１支持手段３を設け該フレーム手段の他方の側で荷物を支持する第２支持手段６を設けたショッピングカート４において、
前記第１支持手段の下部近傍で前記フレーム手段を支えるために設けた第１スタンド手段７と、前記第２支持手段の下部近傍で前記フレーム手段を支えるために設けた第２スタンド手段１３と、前記第２スタンド手段の移動に連動するスタンド状態設定手段８とを有し、前記スタンド状態設定手段８の動きにより前記第２スタンド手段１３が着地状態の場合に前記第１スタンド手段７を非着地状態に設定し前記第２スタンド手段１３が非着地状態の場合に前記第１スタンド手段７を着地状態に設定することを特徴とするショッピングカート。
【手続補正２】
【補正対象書類名】特許請求の範囲
【補正対象項目名】請求項２
【補正方法】変更
【補正の内容】
【請求項２】
前記第１スタンド手段７の着地状態は前記第１支持手段３で荷物を支持する場合に前記スタンド状態設定手段８の移動により行なうことを特徴とする特許請求の範囲第１項記載のショッピングカート。
【手続補正３】
【補正対象書類名】特許請求の範囲
【補正対象項目名】請求項３
【補正方法】変更
【補正の内容】
【請求項３】
前記第１スタンド手段７の非着地状態は前記第２支持手段６で荷物を支持する場合に前記スタンド状態設定手段８の移動により行なうことを特徴とする特許請求の範囲第１項記載のショッピングカート。
【手続補正４】
【補正対象書類名】明細書
【補正対象項目名】００１６
【補正方法】変更
【補正の内容】
【００１６】  そして、本発明は上記目的を達成するために下記の構成を採用したものである。まず、請求項１においては次の通りである。
フレーム手段１の上端近傍に取っ手部１ａを有し該フレーム手段の下端近傍に２個の車輪２、２ａを設け該フレーム手段の一方の側で荷物を支持する第１支持手段３を設け該フレーム手段の他方の側で荷物を支持する第２支持手段６を設けたショッピングカート４において、
前記第１支持手段の下部近傍で前記フレーム手段を支えるために設けた第１スタンド手段７と、前記第２支持手段の下部近傍で前記フレーム手段を支えるために設けた第２スタンド手段１３と、前記第２スタンド手段の移動に連動するスタンド状態設定手段８とを有し、前記スタンド状態設定手段８の動きにより前記第２スタンド手段１３が着地状態の場合に前記第１スタンド手段７を非着地状態に設定し前記第２スタンド手段１３が非着地状態の場合に前記第１スタンド手段７を着地状態に設定することを特徴とするショッピングカート。
【手続補正５】
【補正対象書類名】明細書
【補正対象項目名】００１７
【補正方法】変更
【補正の内容】
【００１７】  次に、請求項２においては次の通りである。
前記第１スタンド手段７の着地状態は前記第１支持手段３で荷物を支持する場合に前記スタンド状態設定手段８の移動により行なうことを特徴とする特許請求の範囲第１項記載のショッピングカート。
【手続補正６】
【補正対象書類名】明細書
【補正対象項目名】００１８
【補正方法】変更
【補正の内容】
【００１８】  次に、請求項３においては次の通りである。
前記第１スタンド手段７の非着地状態は前記第２支持手段６で荷物を支持する場合に前記スタンド状態設定手段８の移動により行なうことを特徴とする特許請求の範囲第１項記載のショッピングカート。
【手続補正７】
【補正対象書類名】明細書
【補正対象項目名】００２２
【補正方法】変更
【補正の内容】
【００２２】  符号５は買い物をするために店舗内で提供されるカゴであり、符号５ａはカゴ５の底面、符号５ｂは孔部、符号６は第２支持手段、符号７は第１スタンド手段、符号７ａは軸部、符号８はスタンド状態設定手段、符号８ａは軸部、符号９，９ａ（図３）は突起部材、符号１０，１０ａ（図３）は可変支持部材、符号１１はブラケット部材、符号１２は軸部、符号１３は第２スタンド手段、符号１３ａはスタンド緩衝材、符号１４はスタンドフレーム、符号１５はスタンドリンク部材、符号１６はブロック部材、符号１７，１８は軸部、符号１９，１９ａ（図３）は支持リンク部材、符号２０，２１，２２，２３は軸部、符号２４は係止バー、符号２４ａは係止バー軸部、符号２５は地面、符号２６，２６ａ（図２）は二点鎖線、符号２７は車軸をそれぞれ表わしている。
【手続補正８】
【補正対象書類名】明細書
【補正対象項目名】００２８
【補正方法】変更
【補正の内容】
【００２８】スタンド状態設定手段８は、その両端がスタンドリンク部材１５と第１スタンド手段７の間で揺動自在に軸支されている。スタンドフレーム１４を図１の上方向に引き上げると第２スタンド手段１３、スタンドリンク部材１５、スタンド状態設定手段８、第１スタンド手段７が連動して移動する。そして、第１スタンド手段７は時計回りに回転する事によって、図２に示す位置つまり着地の状態を設定することになる。
【手続補正９】
【補正対象書類名】明細書
【補正対象項目名】００２９
【補正方法】変更
【補正の内容】
【００２９】  逆に、図２の状態でスタンドフレーム１４を図２の下方向に引き下げると第２スタンド手段１３、スタンドリンク部材１５、スタンド状態設定手段８、第１スタンド手段７が連動して移動することにより、第１スタンド手段７は反時計回りに回転する事によって、図１に示す位置つまり非着地の状態を設定することになる。以上は請求項１〜３に記載した手段についての説明である。
【手続補正１０】
【補正対象書類名】明細書
【補正対象項目名】００３０
【補正方法】変更
【補正の内容】
【００３０】  次に、請求項２においては次の通りである。
第１スタンド手段７の着地（即ち図２の状態）をスタンド状態設定手段８の移動により設定することを意味する。
【手続補正１１】
【補正対象書類名】明細書
【補正対象項目名】００３１
【補正方法】変更
【補正の内容】
【００３１】  次に、請求項３においては次の通りである。
第１スタンド手段７の非着地（即ち図１の状態）をスタンド状態設定手段８の移動により設定することを意味する。
【手続補正１２】
【補正対象書類名】明細書
【補正対象項目名】００５３
【補正方法】変更
【補正の内容】
【００５３】１：フレーム手段
１ａ：取っ手部
２：車輪
２ａ：車輪
３：第１支持手段
４：ショッピングカート
６：第２支持手段
７：第１スタンド手段
８：スタンド状態設定手段
１３：第２スタンド手段